(57)【要約】【課題】車両用オープンルーフ構造をさらに改良する。【解決手段】固定案内部に沿って可動であるオープンルーフ構造の２つの部分を一時的に結合する結合部材。当該結合部材は、固定案内部内で案内され、旋回アームを担持し、この旋回アームの自由端に固定案内部内に画定された湾曲トラックと協働する案内突起部が設けられ、旋回アームは、オープンルーフ部分の第１の部分が第１の方向に移動し、旋回アームが案内突起部と湾曲トラックとの間の協働によって画定された旋回アームの極限旋回位置の第１の位置にある場合に、第１の部分の突起部と係合する係合部材をさらに備え、係合部材は、旋回アームがその第２の極限旋回位置に到達した場合に第１のオープンルーフ部分の突起部の係合を解除し、第１の部分にさらに第１の部分が反対方向に移動した場合に結合部材と係合する衝合手段が設けられ、結合部材がオープンルーフ部分の第２の部分に連結される。【選択図】図８
2008189312.tif 000002
【特許請求の範囲】
【請求項１】
固定案内部に沿って可動であるオープンルーフ構造の２つの部分を一時的に結合する結合部材であって、前記結合部材は、前記固定案内部内で案内され、旋回アームを担持し、前記旋回アームの自由端に前記固定案内部内に画定された湾曲トラックと協働する案内突起部が設けられ、前記旋回アームは、オープンルーフ部分の第１の部分が第１の方向に移動し、前記旋回アームが前記案内突起部と前記湾曲トラックとの間の協働によって画定された前記旋回アームの極限旋回位置の第１の位置にある場合に、前記第１の部分の突起部と係合する係合部材をさらに備え、前記係合部材は、前記旋回アームがその第２の極限旋回位置に到達した場合に前記第１のオープンルーフ部分の突起部の係合を解除し、前記第１の部分にさらに前記第１の部分が反対方向に移動した場合に前記結合部材と係合する衝合手段が設けられ、前記結合部材が前記オープンルーフ部分の前記第２の部分に連結されることを特徴とする結合部材。
【請求項２】
前記旋回アームは、前記係合部材が第１の部分の突起部の係合を解除する前記旋回アームの第２の旋回位置に向けて、バネ付勢されていることを特徴とする請求項１に記載の結合部材。
【請求項３】
前記旋回アームに、前記旋回アームの第２の旋回位置内に前記結合部材の位置を画定するための前記固定案内部の突起部と協働する凹部が設けられていることを特徴とする請求項２に記載の結合部材。
【請求項４】
前記結合部材が、たとえばボーデンケーブルなど可撓性ケーブルによって第２の部分に連結されることを特徴とする請求項１ないし請求項３のいずれか１項に記載の結合部材。
【発明の詳細な説明】
【技術分野】
【０００１】
本発明は、新規な自動車用オープンルーフ構造に関する。
【発明の開示】
【発明が解決しようとする課題】
【０００２】
本発明の目的はこうした車両用オープンルーフ構造をさらに改良することである。
【課題を解決するための手段】
【０００３】
したがって、本発明により、車両用オープンルーフ構造であって、車両の固定ルーフ構造体内に形成されたルーフ開口部、および前記ルーフ開口部を閉塞する閉位置と前記ルーフ開口部を少なくとも部分的に露出させる開位置との間で可動のルーフ開口部用パネル形閉塞手段を備えており、前記閉塞手段は前縁部および後縁部を有し、閉塞手段の前記位置の一方から前記位置の他方に向けての移動中に、閉塞手段の前記前縁部と後縁部のうちの少なくとも１つもそれぞれ固定ルーフ構造体に向かう方向に、またはそれから離れる方向に移動させられ、案内機構が閉塞手段の前記縁部の少なくとも１つを移動させるために設けられ、前記閉塞手段の前記縁部の少なくとも１つの移動のための案内機構が設けられ、前記案内機構は、
前記固定ルーフ構造体に取付けられ、車両の長手方向に延在する固定案内部と、
案内部を係合し、駆動手段によって駆動されて案内部に沿って案内されて移動するスライドと、
閉塞手段とヒンジ式に係合する第１の端部、および固定案内部と摺動式にかつヒンジ式に係合する反対側の第２の端部を有するリンク部材とを有しており、前記リンク部材はさらにスライドに操作可能に連結されて、スライドが、閉塞手段がルーフ開口部を閉塞する位置から閉塞手段がルーフ開口部を露出させる位置に向かって移動した場合に、リンク部材が先ず回転して、それぞれ閉塞手段の縁部を固定ルーフ構造体から離れて移動させ、その後、リンク部材の回転した位置を維持しながらスライドとともに移動して閉塞手段を案内部に対して実質的に平行に移動させるようになされたオープンルーフ構造を提供する。
【０００４】
こうしたオープンルーフ構造によって、閉塞手段の移動が効果的に実現される。
【０００５】
本発明によるオープンルーフ構造の好ましい実施形態は従属請求項に記載されている。
【０００６】
本発明はさらに、固定案内部に沿って可動である、オープンルーフ構造の２つの部分を一時的に結合する結合部材にも関する。
【０００７】
本発明によれば、結合部材は、固定案内部内で案内され、旋回アームを担持し、旋回アームの自由端には固定案内部内に画定された湾曲トラックと協働する案内突起部が設けられ、前記旋回アームは、オープンルーフ部分の第１の部分が第１の方向に移動し、旋回アームが案内突起部と湾曲トラックとの間の協働によって画定された旋回アームの極限旋回位置の第１の位置にある場合に、前記第１の部分の突起部と係合する係合部材をさらに備え、前記係合部材は、旋回アームがその第２の極限旋回位置に到達した場合に前記第１のオープンルーフ部分の突起部の係合を解除し、第１の部分には、さらに第１の部分が反対方向に移動した場合に結合部材と係合する衝合手段が設けられ、前記結合部材はオープンルーフ部分の第２の部分に連結される。
【０００８】
本発明を以下で、本発明によるオープンルーフ構造の一実施形態を示した図面を参照して説明する。
【発明を実施するための最良の形態】
【０００９】
先ず図１０を参照すると、固定ルーフ構造体を有する車両１が概略的に示してある。ルーフ開口部３が固定ルーフ構造体２内に形成され、パネル形閉塞手段４が設けられており、この閉塞手段４は、前記ルーフ開口部３を閉塞する(実線で示した)閉位置４と前記ルーフ開口部３を少なくとも部分的に露出させる(一点鎖線で示した)開位置４”との間で可動である。閉塞手段４は、閉位置から開位置に向かって移動する間、先ず(破線で示した)位置４'に到達し、次いで開位置４”に向かって移動する。
【００１０】
閉塞手段４は、(車両１の長手方向に見られるように)前縁部５および後縁部６を有し、この前縁部５および後縁部６は、それぞれ前方手段８および後方手段９によって固定案内部７と協働する。閉塞手段、固定案内部７、および前方手段８と後方手段９の位置は、図１０に単に概略的に示してあることに留意されたい。さらに、閉塞手段の開位置４”で前方手段８は新しい位置８'に到達していることが分かる。同じことが後方手段９にも当てはまるが、それはこの図には示していない。
【００１１】
図１０に示した実施形態では、オープンルーフ構造を操作するための駆動部材１０(たとえば電気モータ)が、駆動手段１１(たとえばボーデン(Bowden)ケーブル)を介して後方手段９に連結されているところが示してある。
【００１２】
閉塞手段４の後縁部６の案内機構を説明するため、次に、こうした案内機構の連続的な位置を示す図１〜図４を参照されたい。
【００１３】
先ず図１を参照すると、固定案内部７の最後方部分が、閉塞手段４の後縁部６とともに示されている。上に記載したように、固定案内部７は車両１の固定ルーフ構造体２に取り付けられ、基本的に車両の長手方向に延在する。(斜線で示した)スライド１２は、案内部７と係合し、駆動手段１１によって駆動されて案内部７に沿って案内されて移動する。スライド１２には、湾曲トラック１３が設けられており、この湾曲トラック１３は、固定案内部７に沿ってスライド１２の移動する方向に実質的に平行に延びる第１の部分１４、および第１の部分１４から閉塞手段４に向かってそれる弓形の第２の部分１５を含む。
【００１４】
さらに、閉塞手段４に取付けられたアーム１９とヒンジ１８によって係合する第１の端部１７を有するリンク部材１６が設けられている。さらにリンク部材１６は、反対側の第２の端部２０を有し、この第２の端部２０に第１のリンク部材案内部２１(たとえばスライドブロック)が回転可能に取り付けられている。第２のリンク部材案内部２２(たとえばスライドピン)もリンク部材１６の反対側の第２の端部２０に取り付けられている。
【００１５】
固定案内部７は、リンク部材１６の第１のリンク部材案内部２１を収容する第１のリンク部材案内トラック２３を備える。さらに、固定案内部７は、第２のリンク部材案内トラック２４,２４'を備え、この第２のリンク部材案内トラック２４,２４'は、第１のリンク部材案内トラック２３に平行に延びる第１のセクション２４、および第１のリンク部材案内トラック２３に対して横方向に延びる弓形の第２のセクション２４'を有する。第２のリンク部材案内部２２は、前記第２のリンク部材案内トラック２４,２４'と後で記載する方法で協働する。
【００１６】
図１にて分かるように、第１のリンク部材案内部２１および第２のリンク部材案内部２２はある距離を置いて配置される。
【００１７】
第１のリンク部材案内トラック２３の端部は、第１のリンク部材案内部２１の極限位置を限定する停止部２５を画定する。
【００１８】
リンク部材１６にはさらに、第１の端部１７と反対側の第２の端部２０の間の任意の位置に配置された結合ピン２６が設けられている。この結合ピン２６は、スライド１２の湾曲トラック１３内に収容される。
【００１９】
スライド１２には、後に記載する方法でリンク部材１６の協働部分２８と係合することができるフック部材２７も設けられている。さらに、スライド１２には、閉塞手段４が図１で示した閉位置にある場合に、閉塞手段４に取り付けられたピン３０を係止するフック２９の形の係止部材が設けられている。
【００２０】
後方案内機構は以下のように動作する。すなわち、駆動部材１０で駆動手段１１を起動させることによって、スライド１２を図１で示した閉塞手段４の閉位置から開始して左に移動させる。リンク部材１６の結合ピン２６は、この動作中、先ず湾曲トラック１３の第１の部分１４を通って移動する。一方、係止部材２９は、閉塞手段４のピン３０の係合を解除する。スライド１２のこの移動の最初の段階中、リンク部材１６は、図１で示したリンク部材１６の位置のままであり、リンク部材１６の第１のリンク部材案内部２１は停止部２５に押し付けられており、その第２のリンク部材案内部２２は第２のリンク部材案内トラックの弓形の第２のセクション２４'の端部に位置する。
【００２１】
(図１に見られるように)スライド１２が十分に左に移動した場合、リンク部材１６の結合ピン２６は、スライド１２の湾曲トラック１３の弓形の第２の部分１５に到達し、それによってリンク部材１６の回転が生じる。この回転は、リンク部材１６と第１のリンク部材案内部２１の間の回転軸３１によって可能になる。このリンク部材１６の回転中、第２のリンク部材案内部２２は、第２のリンク部材案内トラックの弓形の第２のセクション２４'を通って移動する。第２のリンク部材案内部２２が弓形の第２の部分２４”内に存在する限り、第１のリンク部材案内部２１は第１のリンク部材案内トラック２３内で移動しない。
【００２２】
リンク部材１６の回転の結果、閉塞手段４へのヒンジ式連結部１８を有するリンク部材１６の第１の端部１７は、固定ルーフ構造体または固定案内部７から離れるように移動し、その結果、閉塞手段４の後縁部６が固定ルーフ構造体(または固定案内部７)から離れる方向に移動する。閉塞手段４のこの移動中に、後縁部６もわずかに前方に(図２で分かるように左に)移動することに留意されたい。
【００２３】
閉塞手段４が固定ルーフ構造体２から離れるこうした動きは、係止部材２９が閉塞手段４のピン３０の係合を完全に解除したために可能になる。スライド１２がさらに左に移動した場合(図３)、リンク部材１６は、その第２のリンク部材案内部２２が、第２のリンク部材案内トラックの第１のセクション２４と弓形の第２のセクション２４'との間の連結部に到達するまでさらに回転する。このとき、スライド１２のフック部材２７は、(図で示した実施形態では第１のリンク部材案内部２１の一部である)リンク部材１６の協働部分２８との係合を開始し、それによってリンク部材１６を取り込む。このとき(図３で見られる)リンク部材１６の左への移動が可能になる。なぜなら、第２のリンク部材案内部２２は、第２のリンク部材案内トラックの弓形の第２のセクション２４'を離れているからである。リンク部材１６のこうした左への移動中、その第１のリンク部材案内部２１は、第１のリンク部材案内トラック２３内で左に移動するが、その第２のリンク部材案内部２２は第２のリンク部材案内トラックの第１のセクション２４内で左に移動する。こうした移動の結果、閉塞手段４も左に移動させられる。リンク部材１６の回転位置は、こうした左への移動中には基本的に変化しない。
【００２４】
案内機構がさらに左に移動する間、リンク部材１６の第１のリンク部材案内部２１および第２のリンク部材案内部２２は、それぞれ第１のリンク部材案内トラック２３および第２のリンク部材案内トラック２４と協働しており、リンク部材１６の回転が阻止されるようになっていることに留意されたい。
【００２５】
図４に閉塞手段４の位置を示す。この位置は、閉塞手段４の開位置と基本的に一致する。閉塞手段４の後縁部６は、ルーフ開口部３の前縁部３２にほぼ到達している。図で分かるように、リンク部材１６はまだ回転位置にある。リンク部材１６の協働部分２８は、スライド１２のフック部材２７によって完全に係合されている。
【００２６】
図４に示した開位置から始めると、閉塞手段４は図１に示した閉位置に移動しなければならず、スライド１２は駆動部材１０および駆動手段１１によって右に移動させられる。リンク部材１６はまだ回転することができないため、結合ピン２６は、スライド１２の湾曲トラック１６の弓形の第２の部分１５に対する位置を維持する。そのため、リンク部材１６、およびしたがって閉塞手段４は、スライド１２とともに右に移動する。
【００２７】
スライド１２が十分右に移動した場合、第１のリンク部材案内部２１は停止部２５と係合し、そのとき第２のリンク部材案内部２２は、第２のリンク部材案内トラックの第１のセクション２４と弓形の第２のセクション２４'の間の連結部に到達している(図３)。次いで、リンク部材１６の回転が生じ、一方、結合ピン２６は弓形の第２の部分１５に沿って湾曲トラック１３の第１の部分１４に向かって移動し、第２のリンク部材案内部２２は、第２のリンク部材案内トラックの弓形の第２のセクション２４'内に移動する。その結果、閉塞手段４は固定ルーフ構造体２に向かって移動する。第２のリンク部材案内部２２が、第２のリンク部材案内トラックの弓形の第２のセクション２４'の端部に到達した場合、係止部材２９はピン３０と係合し、閉塞手段４を固定ルーフ構造体２に対して安定して引っ張る。
【００２８】
次に、閉塞手段４の前縁部５の移動のために設けられた案内機構を、図５〜図７を参照して論じる。
【００２９】
図５では、閉塞手段４の前縁部５は、図１で示した後縁部６の位置と基本的に一致する位置(閉塞手段４の閉位置)にある。固定案内トラック３３は、図で詳細に示していない方法で固定ルーフ構造体２に取付けられており、第１のセクション３４を備える。第１のセクション３４は、固定案内部７に対して実質的に平行に前方に延び、後方で第２のセクション３５と合体する。第２のセクション３５は、第１のセクション３４に対して横方向に固定ルーフ構造体２または固定案内部７の方向に延びる。図では、第１のセクション３４の第１の部分しか示していないが、この第１のセクション３４は固定ルーフ構造体２に沿ってさらに左に延在することに留意されたい。第１の案内ピン３６は、詳細に示していない方法で閉塞手段４に取り付けられ、閉塞手段４の閉位置で固定案内トラック３３の第２のセクション３５の端部に位置する。
【００３０】
前縁部５のための案内機構はさらに、固定案内部７に沿って移動することができるラッチング部材３７を備える。ラッチング部材３７は、ラッチングトラック３８,３８'を備える。第１の部分３８は固定案内部７と実質的に平行であり、第２の部分３８'はそこから後方に閉塞手段４に向かってそれている。閉塞手段４は、第２の案内ピン３９を備えており、第２の案内ピン３９は、ラッチングトラック３８,３８'によって係合され、閉塞手段４がその閉位置にある場合は、その第１の部分３８内に収容される。
【００３１】
ラッチング部材３７は、後に記載する方法で、スライド１２に連結され、スライド１２とともに固定案内部７に沿って少なくとも一時的に移動する。こうした連結は、たとえばボーデンケーブルなど可撓性ケーブル４０によって実現することができる。
【００３２】
図６を参照すると、ラッチング部材３７は、第２の案内ピン３９がラッチングトラックの第１の部分３８に従って進み、次に第２の部分３８'に従って進み、このラッチングトラックを離れるまで左に移動している。その結果、閉塞手段４の前縁部５が持ち上げられて、閉塞手段４の第１の案内ピン３６が固定案内トラック３３の第２のセクション３５内で上方に移動するようになっている。閉塞手段４の前縁部５のこの位置は、図３で示した後縁部６の位置と基本的に一致する。
【００３３】
このときラッチング部材３７は閉塞手段４の第２の案内ピン３９の係合を解除しているため、前に述べたように、閉塞手段４は後縁部６用案内機構に対して自由に左に移動し、それによって第１の案内ピン３６が固定案内トラック３３の第１のセクション３４に向かってさらに移動する(図７)。閉塞手段４が左に(車両１の前方に)さらに移動する間、閉塞手段４の第１の案内ピン３６は、閉塞手段４が、(たとえば図４で示したように、後縁部６がルーフ開口部３の前縁部３２の付近にある)閉塞手段４の開位置に到達するまで、固定案内トラック３３の第１のセクション３４に従う。
【００３４】
図６で示したように、ラッチング部材３７が第２の案内ピン３９の係合を解除した後は、もはやラッチング部材３７がさらに移動する必要はない。したがって、ラッチング部材３７とスライド１２との間の連結は、上で示したように、ラッチング部材３７がスライド１２とともに単に一時的に移動するようになされている。ラッチング部材３７とスライド１２との間のこうした一時的な共通の移動を実現する機構を、次に図８および９を参照して説明する。
【００３５】
図８を参照すると、スライド１２が斜線で示されている。さらに、結合部材の(二重線で概略的に示した)フレーム４１が示されている。このフレームまたは結合部材４１は、その方法は詳細に示さないが、固定案内部７に沿って可動である(図９参照)。結合部材のフレーム４１は、枢軸４３を有する(破線で示した)旋回アーム４２を担持する。旋回アーム４２の自由端４４には、固定案内部７内に画定された湾曲トラック４６と協働する案内突起部４５が設けられている。さらに、旋回アーム４２は係合部材４７を備え、この係合部材４７は、図で示した実施形態では図８で示したように、案内突起部４５と一致する。
【００３６】
スライド１２には突起部４８が設けられ、突起部４８は、旋回アーム４２が図８で示した湾曲トラック４６によって画定された位置にある場合は、旋回アーム４２の係合部材４７と係合することができる。したがって、スライド１２が左に移動した場合、突起部４８は係合部材４７を押し付け、それによって旋回アーム４２および結合部材のフレーム４１も左に移動させる。
【００３７】
案内突起部４５は、左に移動中に湾曲トラック４６に従って図９で示した位置に到達する。旋回アーム４２は、この位置で下方に旋回して、係合部材４７がスライド１２の突起部４８ともはや係合しないようにする(スライド１２は図９に示しておらず、突起部４８および後に記載する衝合手段４９だけが示してある)。
【００３８】
旋回アーム４２が図９に示した位置に到達した後、スライド１２がさらに左に移動しても、結合部材がそれに対応してさらに左に移動することはない。したがって、このとき結合部材はその位置のままである。
【００３９】
旋回アーム４２には凹部５０が設けられ、凹部５０は、図９で示した旋回位置で固定案内部７の突起部５１と協働する。凹部５０と突起部５１との間の協働によって、結合部材の位置が画定され維持される。
【００４０】
旋回アーム４２のこの位置を確実に維持するため、旋回アーム４２をその第２の旋回位置に向けて、バネ部材５２によってバネ付勢することが可能である。
【００４１】
結合部材(フレーム４１)とラッチング部材３７との間の連結は、上に示したように可撓性ケーブル４０によって実現することができる。フレーム４１に取り付けた追加の衝合部材５３は、旋回アーム４２と係合し、それによってスライド１２の突起部４８によって旋回アーム４２に加えられる力の有効な伝達が確保される。
【００４２】
図８および図９に示したように、スライド１２にはさらに衝合手段４９が設けられている。スライド１２が図８に示したスライド１２の元の位置(閉塞手段４の閉位置)まで右に移動して戻った場合、この衝合手段４９は、結合部材、たとえば結合部材の衝合部材５３と係合し、それによって結合部材を右に移動させる。結合手段のこの移動中に、旋回アーム４２は、案内突起部４５と湾曲トラック４６との間の協働によって、図８に示したその旋回位置へと旋回し、旋回アーム４２の係合部材４７は再び、スライド１２の突起部４８によって係合される位置に存在する。
【００４３】
結合部材の説明した実施形態の結果として、閉塞手段４の前縁部５の案内機構のラッチング部材３７は、スライド１２に結合されて、ラッチング部材３７は単に、第２の案内ピン３９(図５)がラッチング部材３７のラッチングトラック３８,３８'の外に移動するまで、スライド１２とともに移動するようになされる。したがって、図９に示した状況は、図６に示した状況と基本的に一致する。
【００４４】
固定案内部７に沿って可動である、上に記載した結合部材は、オープンルーフ構造の一部分の他の対の間にも設けることができる。
【００４５】
本発明は、上記の実施形態に限定されず、請求項で規定された本発明の範囲内で広範に変更することができる。
【図面の簡単な説明】
【００４６】
【図１】第１の位置にある第１の案内機構の実施形態を示す図である。
【図２】第２の位置にある同じ案内機構を示す図である。
【図３】第３の位置にある同じ案内機構を示す図である。
【図４】第４の位置にある同じ案内機構を示す図である。
【図５】第１の位置にある第２の案内機構を示す図である。
【図６】第２の位置にある前記第２の案内機構を示す図である。
【図７】第３の位置にある前記第２の案内機構を示す図である。
【図８】第１の位置にある、本発明による結合部材の実施形態を示す概略図である。
【図９】第２の位置にある前記結合部材を示す図である。
【図１０】本発明によるオープンルーフ構造が設けられた車両の一部を示す概略図である。
【符号の説明】
【００４７】
１  車両
２  固定ルーフ構造体
３  ルーフ開口部
４  閉塞手段
５  前縁部
６  後縁部
７  固定案内部
８  前方手段
９  後方手段
１０  駆動部材
１１  駆動手段
１２  スライド
１３  湾曲トラック
１４  第１の部分
１５  第２の部分
１６  リンク部材
１７  第１の端部
１８  ヒンジ
１９  アーム
２０  第２の端部
２１  第１のリンク部材案内部
２２  第２のリンク部材案内部
２３  第１のリンク部材案内トラック
２４  第１のセクション
２４'  第２のセクション
２５  停止部
２６  結合ピン
２７  フック部材
２８  協働部分
２９  係止部材
３０  ピン
３１  回転軸
３２  前縁部
３３  固定案内トラック
３４  第１のセクション
３５  第２のセクション
３６  第１の案内ピン
３７  ラッチング部材
３８  第１の部分
３８'  第２の部分
３９  第２の案内ピン
４０  ケーブル
４１  フレーム
４２  旋回アーム
４３  枢軸
４４  自由端
４５  案内突起部
４６  湾曲トラック
４７  係合部材
４８,５１  突起部
４９  衝合手段
５０  凹部
５２  バネ部材
５３  衝合部材
【図１】
2008189312.tif 000003
【図２】
2008189312.tif 000004
【図３】
2008189312.tif 000005
【図４】
2008189312.tif 000006
【図５】
2008189312.tif 000007
【図６】
2008189312.tif 000008
【図７】
2008189312.tif 000009
【図８】
2008189312.tif 000010
【図９】
2008189312.tif 000011
【図１０】
2008189312.tif 000012